(57)【特許請求の範囲】
【請求項１】
各種フォーマットで記述されたスペクトルデータが入力され、入力されたスペクトルデータに応じた書式解析ルールを書式データベースから取得し、取得した前記書式解析ルールを基に入力された前記スペクトルデータから情報を抽出し、抽出した情報を所定テンプレートに埋め込むことにより共通フォーマットのスペクトルデータを生成する入力部と、
前記共通フォーマットのスペクトルデータを記憶する記憶部と、
前記入力部が生成した前記共通フォーマットのスペクトルデータを前記記憶部に登録する登録部と、
前記書式解析ルールの識別子及び検索条件の入力を受け付け、前記記憶部から前記検索条件を用いた検索を行うと共に、前記書式解析ルールの識別子を基に前記書式データベースから対応する前記書式解析ルールを取得し、前記検索により得られた前記共通フォーマットのスペクトルデータを、取得した前記書式解析ルールを用いて変換したスペクトルデータを生成して出力するアクセス部と、
を備えるスペクトルデータ管理装置。
【請求項２】
前記登録部は、
前記入力部に入力された前記スペクトルデータと関連する付加情報を受け付け、前記入力部が生成した前記共通フォーマット形式のスペクトルデータと、前記付加情報と、を関連付けて前記記憶部に登録し、
前記アクセス部は、前記検索条件として前記付加情報に関連する条件を用いることを特徴とする請求項１に記載のスペクトルデータ管理装置。
【請求項３】
ユーザから前記書式解析ルールの識別子を受信し、受信した前記書式解析ルールの識別子を前記入力部に供給する入力書式指示部を更に備え、
前記入力部は、前記入力書式指示部から供給された前記書式解析ルールの識別子を用いて前記書式データベースから前記書式変換ルールを取得することを特徴とする請求項１または請求項２に記載のスペクトルデータ管理装置。
【請求項４】
前記入力部は、
入力された前記スペクトルデータのファイル形式に基づいて、前記書式データベースから前記書式解析ルールを取得することを特徴とする請求項１乃至請求項３のいずれか1項に記載のスペクトルデータ管理装置。
【請求項５】
前記共通フォーマットのスペクトルデータは、ＸＭＬ（eXtensible Markup Language）形式で記述されていることを特徴とする請求項１乃至請求項４のいずれか1項に記載のスペクトルデータ管理装置。
【請求項６】
各種フォーマットで記述されたスペクトルデータの入力を受け付け、スペクトルデータの書式解析ルールを保持する書式データベースに基づいて、入力されたスペクトルデータ内の情報を取得し、取得した情報を所定テンプレートに埋め込むことにより共通フォーマットのスペクトルデータを生成する入力ステップと、
前記入力ステップにおいて生成した前記共通フォーマットのスペクトルデータを記憶部に登録する登録ステップと、
前記書式解析ルールの識別子及び検索条件の入力を受け付け、前記記憶部から前記検索条件を用いた検索を行うと共に、前記書式解析ルールの識別子を基に前記書式データベースから対応する前記書式解析ルールを取得し、前記検索から得られた前記共通フォーマットのスペクトルデータを、取得した前記書式解析ルールを用いて変換したスペクトルデータを生成して出力するアクセスステップと、
を備えるスペクトルデータ方法。
【請求項７】
コンピュータに、
各種フォーマットで記述されたスペクトルデータの入力を受け付け、スペクトルデータの書式解析ルールを保持する書式データベースに基づいて、入力されたスペクトルデータ内の情報を取得し、取得した情報を所定テンプレートに埋め込むことにより共通フォーマットのスペクトルデータを生成する入力ステップと、
前記入力ステップにおいて生成した前記共通フォーマットのスペクトルデータを記憶部に登録する登録ステップと、
前記書式解析ルールの識別子及び検索条件の入力を受け付け、前記記憶部から前記検索条件を用いた検索を行うと共に、前記書式解析ルールの識別子を基に前記書式データベースから対応する前記書式解析ルールを取得し、前記検索から得られた前記共通フォーマットのスペクトルデータを、取得した前記書式解析ルールを用いて変換したスペクトルデータを生成して出力するアクセスステップと、
を実行させるプログラム。
【発明の詳細な説明】
【技術分野】
【０００１】
本発明はスペクトルデータ管理装置、スペクトルデータ管理方法、及びプログラムに関する。
【背景技術】
【０００２】
近年、ハイパースペクトルイメージングという技術が注目されている。以下、ハイパースペクトルイメージングについて簡単に説明する。
【０００３】
航空機や人工衛星等にハイパースペクトルイメージング用のカメラを搭載し、当該カメラを用いて上空から地上を撮影する。このカメラのレンズ後段にある分光装置は、可視光波長、近赤外線波長、及び遠赤外線波長（たとえば３００ｎｍ〜１２００ｎｍ）の光を所定の波長幅毎に分光する。そして、このカメラに複数設けられている撮像装置の各々は波長毎の画像を出力する。このようにして、画素毎、波長毎の画像を得ることができる。これらの画像がハイパースペクトルイメージである。
【０００４】
ハイパースペクトルイメージにおける各ピクセルが表わしている物質を正確に認識するためには、観測対象領域に分布する物質がスペクトルとしてどのように見えるかを予め把握しておく必要がある。
【０００５】
実験室や実環境において分光光度計を用いて計測した計測スペクトル、ハイパースペクトルイメージから得られた端成分（エンドメンバー）スペクトル等のスペクトル特性、及びスペクトル特性以外の情報（付加情報）、を記憶したものがスペクトルライブラリである。ここで、スペクトル特性以外の情報（付加情報）とは、物質名・観測条件・波長・スペクトル分解能・観測誤差等のメタデータ情報である。
【０００６】
ＵＳＧＳ（Ｕ．Ｓ  Ｇｅｏｌｏｇｉｃａｌ  Ｓｕｒｖｅｙ）、ＮＡＳＡ  ＪＰＬ（Ｊｅｔ  Ｐｒｏｐｕｌｓｉｏｎ  Ｌａｂｏｒａｔｏｒｙ）、ＪＨＵ（Ｊｏｈｎｓ  Ｈｏｐｋｉｎｓ  Ｕｎｉｖｅｒｓｉｔｙ）等の研究機関がこれらのスペクトルライブラリを公表、頒布している。特許文献１には、端成分データベースの構築装置についての一態様が開示されている。更に、各ソフトウェアベンダは、独自に拡張を行ったスペクトルライブラリを提供している。
【先行技術文献】
【特許文献】
【０００７】
【特許文献１】特許４６２３４１２号公報
【非特許文献】
【０００８】
【非特許文献１】Winter, Michael E. , "Fast Autonomous Spectral End-member Determination In Hyperspectral Data", Proceedings of the Thirteenth International Conference on Applied Geologic Remote Sensing, Vol. II, pp 337-344, Vancouver, B.C., Canada, 1999.
【発明の概要】
【発明が解決しようとする課題】
【０００９】
独自拡張を持つスペクトルライブラリは、データの入力を行う取得センサや解析ソフトウェア等に応じて異なるデータフォーマットでデータを管理することが大半である。これらのスペクトルライブラリは、ＣＳＶ（Ｃｏｍｍａ  Ｓｅｐａｒａｔｅｄ  Ｖａｌｕｅｓ）形式やプレインテキスト形式でデータを出力（エクスポート）できるエクスポート機能をサポートする場合がある。しかしながら、エクスポート機能により出力されるデータのデータフォーマットが統一されていない。そのため、異なるアプリケーションからスペクトルライブラリにスペクトルデータを入力し、他のアプリケーションから当該スペクトルデータを読み出してそのまま利用することが出来ない。
【００１０】
すなわち、上述のスペクトルライブラリは、統一的なデータフォーマットでスペクトルデータを管理していない。そのため、異なるソフトウェア間でのスペクトルライブラリを介したスペクトルデータのやり取りが難しいという問題があった。
【００１１】
本発明は上述した問題を鑑みてなされたものであり、ソフトウェア間でのスペクトルライブラリを介したスペクトルデータのやり取りが容易なスペクトルライブラリ管理装置、スペクトルライブラリ管理方法、及びプログラムを提供することを主たる目的とする。
【課題を解決するための手段】
【００１２】
本発明にかかるスペクトルデータ管理装置の一態様は、
各種フォーマットで記述されたスペクトルデータが入力され、入力されたスペクトルデータに応じた書式解析ルールを書式データベースから取得し、取得した書式解析ルールを基に入力された前記スペクトルデータから情報を抽出し、抽出した情報を所定テンプレートに埋め込むことにより共通フォーマットのスペクトルデータを生成する入力部と、
前記共通フォーマットのスペクトルデータを記憶する記憶部と、
前記入力部が生成した前記共通フォーマットのスペクトルデータを前記記憶部に登録する登録部と、
前記書式解析ルールの識別子及び検索条件の入力を受け付け、前記記憶部から前記検索条件を用いた検索を行うと共に、前記書式解析ルールの識別子を基に前記書式データベースから対応する前記書式解析ルールを取得し、前記検索から得られた前記共通フォーマットのスペクトルデータを、取得した前記書式解析ルールを用いて変換したスペクトルデータを生成して出力するアクセス部と、
を備えるものである。
【００１３】
本発明にかかるスペクトルデータ管理方法の一態様は、
各種フォーマットで記述されたスペクトルデータの入力を受け付け、スペクトルデータの書式解析ルールを保持する書式データベースに基づいて、入力されたスペクトルデータ内の情報を取得し、取得した情報を所定テンプレートに埋め込むことにより共通フォーマットのスペクトルデータを生成する入力ステップと、
前記入力ステップにおいて生成した前記共通フォーマットのスペクトルデータを記憶部に登録する登録ステップと、
前記書式解析ルールの識別子及び検索条件の入力を受け付け、前記記憶部から前記検索条件を用いた検索を行うと共に、前記書式解析ルールの識別子を基に前記書式データベースから対応する前記書式解析ルールを取得し、前記検索から得られた前記共通フォーマットのスペクトルデータを、取得した前記書式解析ルールを用いて変換したスペクトルデータを生成して出力するアクセスステップと、
を備えるものである。
【００１４】
本発明にかかるプログラムの一態様は、
コンピュータに、
各種フォーマットで記述されたスペクトルデータの入力を受け付け、スペクトルデータの書式解析ルールを保持する書式データベースに基づいて、入力されたスペクトルデータ内の情報を取得し、取得した情報を所定テンプレートに埋め込むことにより共通フォーマットのスペクトルデータを生成する入力ステップと、
前記入力ステップにおいて生成した前記共通フォーマットのスペクトルデータを記憶部に登録する登録ステップと、
前記書式解析ルールの識別子及び検索条件の入力を受け付け、前記記憶部から前記検索条件を用いた検索を行うと共に、前記書式解析ルールの識別子を基に前記書式データベースから対応する前記書式解析ルールを取得し、前記検索から得られた前記共通フォーマットのスペクトルデータを、取得した前記書式解析ルールを用いて変換したスペクトルデータを生成して出力するアクセスステップと、
を実行させるものである。
【発明の効果】
【００１５】
本発明では、ソフトウェア間でのスペクトルライブラリを介したスペクトルデータのやり取りが容易なスペクトルライブラリ管理装置、スペクトルライブラリ管理方法、及びプログラムを提供することができる。
【図面の簡単な説明】
【００１６】
【図１】実施の形態１にかかるスペクトルライブラリ管理装置１の構成を示すブロック図である。
【図２】入力されるスペクトルデータファイルの一例を示す図である。
【図３】実施の形態１にかかる書式データベース１３が保持する書式解析ルールの概念を示す模式図である。
【図４】実施の形態１にかかるＸＭＬテンプレートの一例を示す図である。
【図５】実施の形態１にかかる共通フォーマットのスペクトルデータの一例を示す図である。
【図６】本発明にかかるスペクトルライブラリ管理装置１の構成を示すブロック図である。
【発明を実施するための形態】
【００１７】
＜実施の形態１＞
以下、図面を参照して本発明の実施の形態について説明する。図１は、スペクトルライブラリ管理装置１の構成を示すブロック図である。スペクトルライブラリ管理装置１は、入力指示部１１と、入力部１２と、登録部１５と、付加情報入力部１６と、ＸＭＬデータベース１７と、データベースアクセス部１８と、を備える。入力部１２は、書式データベース１３と、書式変換部１４と、を備える。
【００１８】
スペクトルライブラリ管理装置１には、各種のスペクトルデータが入力される。スペクトルライブラリ２１は、一般的なスペクトルライブラリである。スペクトルライブラリ２１から読み出されたスペクトルデータは、ファイル形式に変換されて書式変換部１４に供給されるものとする。以下の説明においては説明の便宜のため、スペクトルデータは、ファイル形式で書式変換部１４に供給されるものとする。
【００１９】
分光放射計２２は、測定対象物からの光の分光放射エネルギーを測定するための計測機である。分光放射計２２は、測定により取得した分光放射スペクトルデータファイルを書式変換部１４に供給する。
【００２０】
ハイパースペクトル画像は、ハイパースペクトル画像用カメラを用いて領域を上空から撮影することにより得られた画像、ハイパースペクトル画像用カメラを用いて地上からある空間を撮影することにより得られた画像、またはハイパースペクトル画像用カメラを用いて水中からある空間を撮影することにより得られた画像、である。
【００２１】
エンドメンバー（端成分）抽出部２３は、ハイパースペクトル画像から複数のエンドメンバー（端成分）を抽出し、抽出したデータファイル形式で書式変換部１４に供給する。エンドメンバー（端成分）の抽出方法としては、たとえばＮ−ＦＩＮＤＲ法を利用することができる。Ｎ−ＦＩＮＤＲ法は、例えば非特許文献１にその詳細が記載されており、一般的に知られた公知技術である。
【００２２】
エンドメンバーデータベース２４は、エンドメンバー（端成分）スペクトルデータが予め記憶されたデータベースである。エンドメンバーデータベース２４から読み出されたエンドメンバー（端成分）スペクトルデータは、ファイル形式で書式変換部１４に供給される。
【００２３】
入力書式指示部１１は、スペクトルデータファイルの変換に用いる書式解析ルールの識別子を、エンドユーザから受信する。書式解析ルールについては後述する。入力書式指示部１１は、いわゆるユーザインターフェイスを提供し、ユーザは当該ユーザインターフェイスから書式解析ルールの識別子を入力する。入力書式指示部１１は、入力された書式解析情報の識別子を書式変換部１４に供給する。
【００２４】
書式データベース１３は、書式変換部１４に入力された各スペクトルデータファイルを共通フォーマット（以下の例ではＸＭＬ形式）に変換するための書式解析ルールを格納する。以下、図２及び図３を参照して、書式変換部１４に入力されるスペクトルデータファイル及び書式解析ルールについて説明する。
【００２５】
図２は、入力されるスペクトルデータファイルの一例を示す図である。本例では、ＣＳＶ形式でデータが記述されている。先頭行には、ファイルの記述形式等の基本的な情報（いわゆるヘッダ）が記載されている。
【００２６】
図３は、書式データベース１３が保持する書式解析ルールの概念を示す模式図である。書式解析ルールは、識別子属性、拡張子属性、及びデータ情報属性から構成される。識別子属性とは、スペクトルデータファイルのフォーマット毎に割り当てられる識別子である。拡張子属性とは、入力スペクトルデータファイルの拡張子を示す属性である。データ情報とは、スペクトルデータファイル内のどこにどのような情報が記載されているかを示す情報である。
【００２７】
例えば、図３では、識別子が１の書式解析ルール（データ列）には、ファイルの１行目の第２カラムに文字コードが記載され、１行目の第５カラムには日時情報が含まれること等が規定されている。
【００２８】
書式変換部１４は、入力書式指示部１１から入力された書式解析ルールの識別子を検索キーとして、書式データベース１３から書式解析ルールを取得する。書式変換部１４は、取得した書式解析ルールに記載されたデータ情報を用いて、入力された各種スペクトルデータファイル（スペクトルライブラリ２１から取得したスペクトルデータファイル、分光放射スペクトルデータファイル、エンドメンバー（端成分）スペクトルデータファイル）から各種の情報を取得する。そして、書式変換部１４は、取得した情報をＸＭＬ形式のテンプレート（ＸＭＬテンプレート）に埋め込む。
【００２９】
なお、書式変換部１４は、入力書式指示部１１から書式解析ルールの識別子が入力されない場合であっても、入力されたスペクトルデータファイルの拡張子を基に書式データベース１３から書式解析ルールを取得しても良い。例えば、入力されたスペクトルデータファイルの拡張子が".xxx"であり、書式データベース１３内に拡張子".xxx"の書式解析ルールが一つしかない場合、当該書式解析ルールを取得すればよい。
【００３０】
図４は、ＸＭＬテンプレートの一例を示す図である。このＸＭＬテンプレートは、ＸＭＬデータベース１７に登録される共通フォーマットを示すデータである。書式変換部１４は、各スペクトルデータから取得した情報を、ＸＭＬテンプレートの各タグ内に上書きすることにより、共通フォーマットのスペクトルデータを生成する。
【００３１】
図５は、図４に示すＸＭＬテンプレートを基に生成された共通フォーマットのスペクトルデータの一例を示す図である。図示するように、ＸＭＬテンプレートの各タグ内の情報が上書きされている。例えば、"ＡＵＴＨＯＲ"タグには、入力されたスペクトルデータから取得した"ＵＳＧＳ  Ｖｅｇｅｔａｔｉｏｎ  Ｓｐｅｃｔｒａｌ  Ｌｉｂｒａｒｙ"が記述されている。
【００３２】
書式変換部１４は、生成した共通フォーマットのスペクトルデータを変換済スペクトルデータとして登録部１５に供給する。
【００３３】
付加情報入力部１６は、ユーザから付加情報の入力を受け付ける。付加情報入力部１６は、いわゆる入力用のインターフェイスを提供する。ここで付加情報とは、スペクトルライブラリ管理装置１では取得が困難な情報、例えばハイパースペクトル画像の取得日時、ハイパースペクトル画像を撮影した地点の各情報（緯度、経度等）、ハイパースペクトル画像のファイル名、ハイパースペクトル画像の撮影条件（センサ名、高度、気象状況等）、エンドメンバー（端成分）スペクトルデータの抽出のアルゴリズム名、エンドメンバー（端成分）スペクトルデータに対応する物体名や物質名、等である。付加情報は、データベースアクセス部１８においてＸＭＬデータベース１７の検索キーワードとして使用される。さらに、付加情報は、データベースアクセス部１８においてユーザがスペクトルデータの詳細を把握するためにも使用される。付加情報入力部１６は、ユーザから入力された付加情報を登録部１５に供給する。
【００３４】
登録部１５は、変換済スペクトルデータを、付加情報と関連付けてＸＭＬデータベース１７に登録する。
【００３５】
ＸＭＬデータベース１７は、付加情報と関連付けられた変換済みスペクトルデータを記憶する。
【００３６】
データベースアクセス部１８は、ＸＭＬデータベース１７からスペクトルデータを取得するための検索条件を入力するためのインターフェイスを提供する。ユーザは、当該インターフェイスを介して検索条件と、スペクトルデータの出力フォーマットに対応する書式解析ルールの識別子と、を指定する。データベースアクセス部１８は、指定された検索条件を用いてＸＭＬデータベース１７を検索し、変換済スペクトルデータを取得する。また、データベースアクセス部１８は、指定された書式解析ルールの識別子を基に、書式データベース１３から書式解析ルールを取得する。なお、ユーザは、書式解析ルールの識別子の代わりに出力ファイルの拡張子を指定してもよい。
【００３７】
データベースアクセス部１８は、書式データベース１３から取得した書式解析ルールを用いて、変換済スペクトルデータを所望のスペクトルファイル形式に変換する。ここで、データベースアクセス部１８は、変換済スペクトルデータの各タグから情報を抽出し、書式解析ルール内のデータ情報（図３）を参照して、抽出した情報を配置することにより、所望のフォーマットのスペクトルデータファイルを生成する。
【００３８】
データベースアクセス部１８は、所望のフォーマットで記述されたスペクトルデータファイルを、ユーザが参照する表示装置（図示せず）に表示する。または、データベースアクセス部１８は、所望のフォーマットで記述されたスペクトルデータファイルをユーザが指定したアプリケーション２５に供給する。または、データベースアクセス部１８は、所望のフォーマットで記述されたスペクトルデータファイルを、所定の記憶装置やコンピュータシステム内の所定フォルダに格納する。
【００３９】
アプリケーション２５は、データベースアクセス部１８からスペクトルデータファイルを受信する。アプリケーション２５は、受信したスペクトルデータファイルを用いて各種の演算、解析等を行う。
【００４０】
続いて本実施の形態にかかるスペクトルデータ管理装置１の効果について説明する。書式変換部１４は、各種フォーマットで記載されたスペクトルデータを共通フォーマット（ＸＭＬ形式）のスペクトルデータに変換する。そして、この共通フォーマットのスペクトルデータがＸＭＬデータベース１７に記憶される。ＸＭＬデータベース１７からのデータ取得時には、共通フォーマットのスペクトルデータが所望の出力フォーマットに応じて変換された上で出力される。これにより、スペクトルデータを統一的に管理できるとともに、必要な形式のスペクトルデータを出力することができる。
【００４１】
さらに、ＸＭＬデータベース１７は、共通フォーマットのスペクトルデータと付加情報を関連付けて記憶する。これにより、付加情報（撮影地点情報等）を用いたデータの検索を行うことができる。
【００４２】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【００４３】
入力書式指示部１１、書式変換部１４、登録部１５、付加情報入力部１６、及びデータベースアクセス部１８の各処理は、任意のコンピュータ内で動作するプログラムとして実現することが可能である。
【００４４】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４５】
図６を参照して、本発明にかかるスペクトルライブラリ管理装置１の概要について改めて説明する。図６は、スペクトルライブラリ管理装置１の全体概要を示すブロック図である。
【００４６】
スペクトルライブラリ管理装置１は、入力部１２と、登録部１５と、ＸＭＬデータベース１７と、データベースアクセス部１８と、を備える。
【００４７】
入力部１２には、各種フォーマットで記述されたスペクトルデータが入力される。入力部１２は、入力されたスペクトルデータに応じた書式解析ルールを書式データベース１７から取得する。入力部１２は、取得した書式解析ルールを用いて入力されたスペクトルデータから情報を抽出する。入力部１２は、抽出した情報を共通フォーマットのテンプレートに埋め込む（上書きする）ことにより共通フォーマットのスペクトルデータを生成する。
【００４８】
ＸＭＬデータベース１７は、共通フォーマットのスペクトルデータを記憶する。登録部１５は、共通フォーマットのスペクトルデータをＸＭＬデータベース１７に登録する。
【００４９】
データベースアクセス部１８は、書式解析ルールの識別子及び検索条件にかかるユーザ入力を受け付ける。データベースアクセス部１８は、入力された検索条件を用いてＸＭＬデータベース１７から共通フォーマットのスペクトルデータを取得する。データベースアクセス部１８は、入力された書式解析ルールの識別子を基に書式データベース１３から対応する書式解析ルールを取得する。データベースアクセス部１８は、取得した共通フォーマットのスペクトルデータを、取得した書式解析ルールに応じて変換したスペクトルデータを出力する。
【００５０】
図６に示す構成によっても、各フォーマットのスペクトルデータが共通フォーマットに変換されて管理されている。そのため、各種のソフトウェアからスペクトルデータを共有することができる。
【符号の説明】
【００５１】
１  スペクトルライブラリ管理装置
１１  入力指示部
１２  入力部
１３  書式データベース
１４  書式変換部
１５  登録部
１６  付加情報入力部
１７  ＸＭＬデータベース
１８  データベースアクセス部
２１  スペクトルライブラリ
２２  分光放射計
２３  エンドメンバー抽出部
２４  エンドメンバーデータベース
２５  アプリケーション
【図１】
0005906900.tif 000002
【図２】
0005906900.tif 000003
【図３】
0005906900.tif 000004
【図４】
0005906900.tif 000005
【図５】
0005906900.tif 000006
【図６】
0005906900.tif 000007